(57)【要約】【課題】ディスク脱着時における対物レンズとディスク或いはカートリッジケースとの衝突を防止しながら、装置の小型化を実現する。【解決手段】ディスクカートリッジ１０の開口部に設けられた薄肉架橋部６は、ディスクカートリッジが装置に装填された状態において、ディスク１の光ビーム照射面より光ピックアップ２４から離れて位置付けられるように構成されている。また、ディスクカートリッジ１０の脱着時に光ピックアップ２４を薄肉架橋部６の端面６ａに対向する位置に退避させる。【選択図】      図１
2005032310.tif 000002
【特許請求の範囲】
【請求項１】
情報記録再生装置で使用されるディスク状記録媒体を収納するディスクカートリッジにおいて、前記媒体を収納する収納部を有するケース本体と、前記ケース本体の少なくとも一方の主平面に設けられた光ピックアップからの光ビームの照射を許す開口部と、前記開口部に設けられたカートリッジケースの肉厚より薄い薄肉架橋部と、前記開口部を開閉するシャッターとを備え、前記薄肉架橋部は、前記ディスクカートリッジが前記装置に装填された状態において、前記媒体の光ビームが照射される側の面より前記光ピックアップから離れて位置付けられるように構成されていることを特徴とするディスクカートリッジ。
【請求項２】
請求項１に記載のディスクカートリッジに収納されたディスク状記録媒体に情報の記録及び／又は再生を行う情報記録再生装置において、前記媒体を回転させるターンテーブルと、前記情報の記録及び／又は再生を行うために前記媒体に光ビームを照射し、前記ディスクカートリッジの前記開口部に進入／退避する光ピックアップと、前記光ピックアップを前記媒体の面内方向において移動させる機構とを備え、前記ターンテーブルに前記媒体をカートリッジとともに装填する際、及び／又は、前記ターンテーブルに装填された前記媒体をカートリッジとともに排出する際、前記光ピックアップは前記ディスクカートリッジの前記薄肉架橋部に対向する位置に退避することを特徴とする情報記録再生装置。
【発明の詳細な説明】
【０００１】
【発明の属する技術分野】
本発明は、ディスク状記録媒体を収納したディスクカートリッジ、及び該媒体への情報記録及び／又は再生を行う情報記録再生装置に関する。
【０００２】
【従来の技術】
従来のディスクカートリッジの概略斜視図を図４に、正面図、側面図、Ｃ−Ｃ断面図を図５の（ａ）〜（ｃ）にそれぞれ示す。
【０００３】
図４、図５において、１はディスク状記録媒体（以下ディスクとする）、２はディスク１に固着された吸着板、３は光ビームを照射する側である第一ハーフ、４は第一ハーフ３と対向する第二ハーフ、５は光ビームを照射するために第一ハーフ３にディスク１の内周側から外周側にかけて形成された開口部、６は開口部５に設けられたカートリッジケース１１の肉厚より薄い薄肉架橋部、７は開口部５と薄肉架橋部６を閉塞するシャッター、７ａはシャッター７の端部の断面形状を略コ字状に形成することで設けられたガイド部、８は第一ハーフ３に凹状に設けられたシャッター７の摺動面、９は第二ハーフ４に設けられシャッター７のガイド部７ａが挿入されるガイド溝である。かかる構成の場合、ディスク１と吸着板２は図４、図５に示すとおり、ディスクカートリッジ１０に収納されている。このディスクカートリッジ１０は、第一ハーフ３と第二ハーフ４とにより形成されたカートリッジケース１１内にディスク１と吸着板２を回転自在に配置している．また、開口部５と薄肉架橋部６を閉塞するシャッター７は、ガイド部７ａがガイド溝９に挿入されることで摺動面８上を摺動可能に構成されている。
【０００４】
次に情報記録再生装置にディスクカートリッジが装着された状態について図６、図７、図８を用いて詳述する。図６は情報記録再生装置の概略斜視図、図７は図６の情報記録再生装置から後述するカートリッジホルダと前記カートリッジホルダの回動軸を除去した状態の概略平面図であり、図８（ａ）は図７の情報記録再生装置にディスクカートリッジを搭載した状態の正面図、（ｂ）は同側面図、（ｃ）はＤ−Ｄ断面図である。
【０００５】
情報記録再生装置２１は、構造上のベースとなるシャーシ２２、シャーシ２２に配設されディスク１を装着、回転させるスピンドルモータ２３、光ピックアップ２４、光ピックアップ２４に配置された光ビームを照射する対物レンズ２５、シャーシ２２に配設されディスク１の半径方向に光ピックアップ２５を移送させるリードスクリュー２８を有した送りモータ２６、光ピックアップ２４を支持するガイドシャフト２７と、ディスクカートリッジ１０を回動可能に支持するカートリッジホルダ２９、シャーシ２２に配設されたカートリッジホルダ２９の回動軸３０、シャーシ２２に配設されリードスクリュー２８を支持するリードスクリュー軸受３１、シャーシ２２に配設されガイドシャフト２７を支持するガイドシャフト軸受３２とから構成されている。
【０００６】
ディスクカートリッジ１０は、カートリッジホルダ２９の端部に略コ字状に形成されたカートリッジ支持部２９ａによって保持されながら、情報記録再生装置２１のカートリッジホルダ２９に挿入される。また、その際にシャッター７が図示しないシャッター開閉機構（一般的にはシャッター７の側面、図８（ａ）においてはシャッター７の右側に配設される）によってガイド溝９に沿って摺動移動され、これにより第一ハーフ３の開口部５が開口される。そして、回動軸３０を回転中心としてカートリッジホルダ２９はディスクカートリッジ１０を保持したままシャーシ２２側に回動（手動）する。これにより、開口部５を通してスピンドルモータ２３がディスクカートリッジ１０内に進入し、ディスク１の中心穴１ａがスピンドルモータ２３のターンテーブル面２３ａに搭載される。なお、本従来例では、吸着板２をスピンドルモータ２３に配設された吸着磁石（図示せず）によって吸引することでディスク１を装着している。そしてスピンドルモータ２３によって回転されたディスク１に対し、光ピックアップ２４の対物レンズ２５から光ビームが照射される。また、送りモータ２６の回転軸と一体で形成されたリードスクリュー２８と、光ピックアップ２４は図示しないラックによって噛み合っており、リードスクリュー２８の回転動作を並進動作に変換することで、ガイドシャフト２７をガイドとして光ピックアップ２４はディスク１の半径方向に移動する。以上により、情報記録再生装置２１はディスク１に対して情報の記録／再生を行うのである。
【０００７】
【特許文献１】
特開平０７−０９３９３５号公報
【０００８】
【発明が解決しようとする課題】
しかしながら、近年、記録密度の高密度化に伴い、ディスク上に形成される光スポットの微小化が要求されており、このため光源波長の短波長化、対物レンズの高ＮＡ化が進行している。そして、対物レンズの高ＮＡ化によってＷｏｒｋｉｎｇ  Ｄｉｓｔａｎｃｅ（以下ＷＤとする）は減少の傾向にある。例えば近年のＢｌｕ−ｒａｙ  Ｄｉｓｃにおいては、２群レンズを用いることでＮＡ＝０．８５を実現しているが、ＷＤは０．１４ｍｍ程度しか得られていない。このため、ディスク脱着時などにおいて、ディスク面と対物レンズの衝突が生じる可能性がある。衝突により、ディスク面に傷などが発生した場合は記録データの消失や誤再生の問題が、対物レンズに傷が発生した場合は正確な記録再生動作が困難になるといった大きな問題が発生してしまう。
【０００９】
そのため従来は、カートリッジケースに内包されないディスク単体で使用する情報記録再生装置では、ディスク装着時に、ディスク面と垂直方向からみて、光ピックアップをディスク外周側に移動させ、対物レンズがディスク面と重複しない位置まで退避させることで衝突の防止を行っていた。しかしながら、上記構成では、光ピックアップが退避するスペースが必要となり装置が大型化することとなる。
【００１０】
また、例えば携帯用機器として上記ディスクを用いる場合、記録情報の保存性などを鑑み、ディスクはカートリッジケースに内包されることが望ましい。しかし、従来例として示したディスクカートリッジでは、先述した衝突の問題は考慮されておらず、第一ハーフの側面部（図８（ｃ）中に３ａとして記載）が障害となり、本発明で提示したようなＷＤの短い対物レンズを有する光ピックアップをカートリッジより外周側に移動させることは困難である。
【００１１】
本発明は上記課題を解決するためのものであり、ディスク脱着時の対物レンズとの衝突を防止しながら、装置の小型化を実現するものである。
【００１２】
【課題を解決するための手段】
本発明の上記目的は、情報記録再生装置で使用されるディスク状記録媒体を収納するディスクカートリッジにおいて、前記媒体を収納する収納部を有するケース本体と、前記ケース本体の少なくとも一方の主平面に設けられた光ピックアップからの光ビームの照射を許す開口部と、前記開口部に設けられたカートリッジケースの肉厚より薄い薄肉架橋部と、前記開口部を開閉するシャッターとを備え、前記薄肉架橋部は、前記ディスクカートリッジが前記装置に装填された状態において、前記媒体の光ビームが照射される側の面より前記光ピックアップから離れて位置付けられるように構成されていることを特徴とするディスクカートリッジによって達成される。
【００１３】
【発明の実施の形態】
以下、本発明の実施の形態について図を用いて詳細に説明する。
【００１４】
本発明の実施形態におけるディスクカートリッジの構成を示す光ビーム照射側からの概略斜視図を図１に、正面図、側面図、Ａ−Ａ断面図を図２の（ａ）〜（ｃ）にそれぞれ示す。なお、本実施例においてディスクカートリッジの基本的な構造は従来例に準じており、本発明の特徴的なところは、第一ハーフ３の薄肉架橋部６の面６ａが、図２（ｃ）及び図３（ｃ）に示すとおり、光ピックアップから光ビームを入射される側と逆側の第二ハーフ４側に変位して設けられていることである。
【００１５】
次に記録再生装置にディスクカートリッジが装着された状態について図３を用いて詳述する。なお、本実施例において情報記録再生装置は図６、図７に示す従来例と同一であるため詳しい説明は省略する。図３（ａ）は情報記録再生装置にディスクカートリッジを搭載した状態の正面図、（ｂ）は同側面図、（ｃ）はＢ−Ｂ断面図である。
【００１６】
本発明によると、スピンドルモータ２３にディスク１を搭載した状態において、ディスク１の第一ハーフ３側の表面１ｂ（光ビームが照射される面）より薄肉架橋部６の面６ａが、光ピックアップ２４から離れて位置付けられている。ディスク１の表面１ｂと薄肉架橋部６の面６ａとの距離はディスク１の厚さｄの１／２以上が好適である。なお、本実施例のディスクカートリッジ１０においては、スピンドルモータ２３にディスク１を搭載した状態で、ディスク１の厚さの中心とディスクカートリッジ１０の中心が一致するように構成される。このため、ディスクカートリッジ１０の厚さをｔ（図３（ｃ）に記載）とすると、スピンドルモータ２３にディスク１を搭載した状態では、ディスクカートリッジ１０の第一ハーフの主平面からディスク１の第一ハーフ側の表面１ｂまでの距離は（ｔ−ｄ）／２となる。また、第一ハーフ側の主平面から薄肉架橋部６の面６ａまでの距離はｔ／２となる。
【００１７】
本実施例では図３（ｃ）に示すとおり、薄肉架橋部６の面６ａに対向する位置に対物レンズ２５を配置することで、対物レンズ上方（第二ハーフ４の方向）のクリアランスをｄ／２分多く得ることが可能となる。これにより、ディスク１の装填／排出動作時において、ディスク１の第一ハーフ側の表面１ｂよりも対物レンズ２５の上方が広い薄肉架橋部６の面６ａに対向する位置に光ピックアップ２４（特に、対物レンズ２５）を退避させておけば、対物レンズ２５とディスク１の衝突を防止するのみならず、対物レンズ２５がカートリッジケース１１に衝突することも防止することが可能となる。また、光ピックアップ２４の移動距離も小さくできるため装置の小型化も果たせる。
【００１８】
なお、本発明は本実施例の形態のみによって限定されるものではない。例えば、先述した薄肉架橋部６の面６ａのディスク１の表面１ｂからの変位量をｄ／２より大きくとることで、更に対物レンズ上方のクリアランスを得ることも可能である。
【００１９】
また、ディスクカートリッジの更なる薄型化が進行し、設計可能な前記変位量がｄ／２より少なくなったとしても、前記ディスク１の表面１ｂより薄肉架橋部６の面６ａが、光ピックアップ２４から離れて位置付けられることで、本発明の効果を得ることは可能である。
【００２０】
また、本発明において対物レンズ２５は、光ピックアップ２４のディスク半径方向のほぼ中央に配置しているが、光ピックアップ２４の外周側側面近傍に配置することで、衝突防止のため光ピックアップ２４が薄肉架橋部６と対向する位置に配置した場合の、図３（ａ）などに示す、ディスクカートリッジ１０から光ピックアップ２４の突出量を低減させることが可能である。
【００２１】
また、ここでは図示していないが、ディスクカートリッジ１０のシャッター側にはシャッター開閉機構が存在し、実際には光ピックアップ２４が本実施例の退避位置へ移動してもシャーシ２２の大きさを殆ど変更することなく構成することが可能であり、情報記録再生装置２１を大型化することなく衝突防止が可能である。
【００２２】
また、本実施例においては第一ハーフ３のみで薄肉架橋部６を構成したが、第一ハーフ３を切り欠き、第二ハーフ４を用いて構成することや、ディスクカートリッジ１０の側面自体を別体で形成することももちろん可能である。
【００２３】
また、本発明では衝突可能性がある部材として対物レンズ２５を示しているが、対物レンズを固定している対物レンズホルダー（図示せず）や、対物レンズ２５を駆動させる対物レンズアクチュエータ（図示せず）などその他の部材が対物レンズ２５よりディスク１側に突出している場合は、該突出部分を薄肉架橋部６と対向する位置に配置することで、衝突防止を図ることも可能である。
【００２４】
【発明の効果】
以上詳記した通り、本発明のディスクカートリッジによれば、ディスクカートリッジの情報記録再生装置からの装填／排出時における対物レンズとディスク表面、或いは対物レンズとカートリッジ内面との衝突を防止しながら、装置の小型化を実現することが可能となる。
【図面の簡単な説明】
【図１】本発明のディスクカートリッジの概略斜視図である。
【図２】図１図示のディスクカートリッジの三面図である。
【図３】図１図示のディスクカートリッジを情報記録再生装置に搭載した状態の三面図である。
【図４】従来のディスクカートリッジの概略斜視図である。
【図５】図４図示のディスクカートリッジの三面図である。
【図６】情報記録再生装置の概略斜視図である。
【図７】情報記録再生装置の概略平面図である。
【図８】図４図示のディスクカートリッジを図６、図７図示の情報記録再生装置に搭載した状態の三面図である。
【符号の説明】
１  ディスク
１ａ  ディスクの中心穴
１ｂ  光ビームが照射される面
２  吸着板
３  第一ハーフ
３ａ  第一ハーフの側面部
４  第二ハーフ
５  開口部
６  薄肉架橋部
６ａ  薄肉架橋部の面
７  シャッター
７ａ  シャッターのガイド部
８  摺動面
９  ガイド溝
１０  ディスクカートリッジ
１１  カートリッジケース
２１  情報記録再生装置
２２  シャーシ
２３  スピンドルモータ
２３ａ  ターンテーブル面
２４  光ピックアップ
２５  対物レンズ
２６  送りモータ
２７  ガイドシャフト
２８  リードスクリュー
２９  カートリッジホルダ
２９ａ  カートリッジ支持部
３０  回動軸
３１  リードスクリュー軸受
３２  ガイドシャフト軸受
【図１】
2005032310.tif 000003
【図２】
2005032310.tif 000004
【図３】
2005032310.tif 000005
【図４】
2005032310.tif 000006
【図５】
2005032310.tif 000007
【図６】
2005032310.tif 000008
【図７】
2005032310.tif 000009
【図８】
2005032310.tif 000010